(57)【要約】  【課題】  一回の操作で複数の成長曲線計測グラフを順次印字することのできる超音波診断装置を提供する。  【解決手段】  超音波の送受信部１１からの表示画像情報を診断画像として再生する再生部１２と、操作者が診断を行うための入力部１５と、診断画像、週数毎の診断結果、若しくは診断結果より求められる成長曲線を記録するための記録部１７と、記録部に記録された成長曲線、診断画像、若しくは週数毎の診断結果を出力するための出力部１３と、出力部の結果を表示する表示部１４と、出力部から成長曲線を印字するための印字部１６と、記録部から一回の操作で複数の成長曲線計測グラフを順次印字するための構成情報に基づいて、出力部を逐次制御する構成制御部１８とを有する。【選択図】図１
2005288029.tif 000002
【特許請求の範囲】
【請求項１】
超音波を送信し受信した信号を処理して表示画像情報を生成する送受信手段と、
前記表示画像情報を診断画像として再生する再生手段と、
操作者が診断を行うための入力手段と、
診断画像、胎児の週数毎の診断結果、若しくは診断結果より求められる胎児の成長度合いを示すグラフである成長曲線を記録するための記録手段と、
前記記録手段に記録された成長曲線、診断画像、若しくは週数毎の診断結果を出力するための出力手段と、
前記出力手段の結果を表示する表示手段と、
前記出力手段から成長曲線を印字するための印字手段と、
前記記録手段から一回の操作で複数の成長曲線計測グラフを順次印字するための構成情報に基づいて、前記出力手段及び前記印字手段を逐次制御する構成制御手段を備えた超音波診断装置。
【請求項２】
操作者が印字内容の構成情報をあらかじめ前記構成制御手段に登録し、印字する際に構成情報を呼び出すことで、印字する項目、順番及び構成のうち１もしくは複数を操作者が任意に設定できるように構成した請求項１記載の超音波診断装置。
【請求項３】
前記構成制御手段は、構成情報を複数記録する記録手段を備え、操作者が複数の構成情報から任意の構成情報を選択できるように構成した請求項１又は２記載の超音波診断装置。
【発明の詳細な説明】
【技術分野】
【０００１】
本発明は、胎児の成長曲線レポートを印字する機能を有した超音波診断装置に関するものである。
【背景技術】
【０００２】
超音波診断装置の産科計測では、所望の胎児の超音波画像を計測し、計測値と計測項目の妊娠週数毎の標準値を比較することで、胎児の発育状況を確認している。そのため、胎児の複数の部位を複数の週数にわたり計測を行い、計測結果を元に、妊娠週数と計測値からなる成長度合いをグラフにする。以下、この成長度合いをグラフ化したものを「成長曲線」と称する。そのため、産科用では、成長曲線を作成する機能を有する超音波診断装置がある。
【０００３】
かかる従来の超音波診断装置は、図７に示すように、文字情報、設定情報および操作者からの指令を入力する入力部５１と、超音波エコーの送受信部５１と、受信した信号を超音波画像情報として再生する再生部５２と、超音波画像情報から演算により得られる２次情報を算出すると共に、全ての情報を処理し、処理された情報を記録する記録部５７と、再生部５２または記録部５７からの出力を制御する出力部５３と、出力部５３からの情報を表示および印字する表示部５４および印字部５６とで構成されている（例えば、特許文献１参照）。
【０００４】
この構成により、情報記録が超音波画像情報、２次情報および文字情報とレイアウト設定情報とを相互に関連付けた診断レポート情報群を作成するか、あるいは診断レポート情報群を一体化した一体化診断レポート情報を作成するものである。
【０００５】
この従来の超音波画像診断装置は、別体の装置を用いることなく、種々の情報を相互に関連付けてまたは統合して電子的に保管すること、さらには患者の過去情報や参照画像と現在診断中の画像または画像を含むレポートとを同時に表示することを可能にし、従来よりも有利な支援機能を提供し得る（また、診断した診断レポートを電子化する従来の超音波診断装置は、特許文献２参照）。
【特許文献１】特開２０００−１３５２１６号公報
【特許文献２】特開平９−１７３３３２号公報
【発明の開示】
【発明が解決しようとする課題】
【０００６】
しかしながら、特許文献１及び特許文献２に開示される従来の超音波診断装置においては、成長曲線を複数項目印字する際、操作者が自ら必要な項目を選択し逐次出力操作を行う必要がある、という問題があった。
【０００７】
本発明は、かかる従来の問題を解決するためになされたもので、一回の操作で複数の成長曲線計測グラフを順次印字することのできる超音波診断装置を提供することを目的とする。
【課題を解決するための手段】
【０００８】
前記の目的を達成するため、本発明に係る超音波診断装置は、超音波を送信し受信した信号を処理して表示画像情報を生成する送受信手段と、表示画像情報を診断画像として再生する再生手段と、操作者が診断を行うための入力手段と、診断画像、週数毎の診断結果、若しくは診断結果より求められる成長曲線を記録するための記録手段と、記録手段に記録された成長曲線、診断画像、若しくは週数毎の診断結果を出力するための出力手段と、出力手段の結果を表示する表示手段と、出力手段から成長曲線を印字するための印字手段と、記録手段から一回の操作で複数の成長曲線計測グラフを順次印字するための構成情報に基づいて、出力手段を逐次制御する構成制御手段とを備えた構成を有している。
【０００９】
この構成により、複数の成長曲線を一回の印字操作により印字することが出来る。
【００１０】
また、本発明に係る超音波診断装置は、操作者が印字内容の構成情報をあらかじめ構成制御手段に登録し、印字する際構成情報を呼び出すことで、印字する項目、順番及び構成を操作者が任意に設定できる構成を有している。
【００１１】
この構成により、操作者が必要に応じて印字する診断項目を任意に構成することが出来る。
【００１２】
さらに、本発明に係る超音波診断装置は、構成制御手段が、構成情報を複数記録する記録手段を備え、操作者が複数の構成情報から任意の構成情報を選択できる構成を有している。
【００１３】
この構成により、操作者が診断条件に応じ、印字に必要な項目を取捨選択することが出来る。
【発明の効果】
【００１４】
本発明によれば、記録手段から一回の操作で複数の成長曲線計測グラフを順次印字するための構成情報に基づいて出力手段を逐次制御する構成制御手段を設けることにより、一回の操作で複数の成長曲線計測グラフを順次印字することのできる超音波診断装置を提供することが可能になる、という格別な効果を奏する。
【発明を実施するための最良の形態】
【００１５】
以下、本発明の好適な実施の形態について、図面を参照しながら詳細に説明する。
【００１６】
（第１の実施の形態）
図１は、本発明の第１の実施の形態に係る超音波診断装置の一構成例を示す機能ブロック図である。
【００１７】
図１において、超音波診断装置１は、超音波を送信して受信した信号を処理して表示画像情報を生成する送受信部１１（送受信手段）と、表示画像情報を診断画像として再生する再生部１２（再生手段）と、操作者が診断を行うための入力部１５（入力手段）と、診断画像、週数毎の診断結果、若しくは診断結果より求められる成長曲線を記録するための記録部１７（記録手段）と、記録部１７に記録された成長曲線、診断画像、若しくは週数毎の診断結果を出力するための出力部１３（出力手段）と、出力部１３の結果をモニタに表示する表示部１４（表示手段）と、出力部１４から成長曲線を印字するための印字部１６（印字手段）と、記録部１７から一回の操作で複数の成長曲線計測グラフを作成し順次印字するための構成情報に基づいて出力手段を逐次制御する構成制御部１８（構成制御手段）とで構成されている。
【００１８】
次に、以上のように構成された超音波診断装置の動作について、図１に加えて、図２を参照して説明する。図２は、本実施形態による超音波診断装置における処理手順を示すフローチャートである。
【００１９】
まず、成長曲線を印字するため、操作者が入力部１５を操作する（ステップＳ２０１）。次に、記録部１７より成長曲線に使用される診断情報を呼び出す（ステップＳ２０２）。ステップＳ２０２において記録部１７より呼び出された診断情報を、構成制御部１８にある構成情報に基づき印字を行う（ステップＳ２０３）。ここで、構成情報には、印字する項目、配置、ページの振り分け等の印字を行うのに必要な項目が記録されている。
【００２０】
構成制御部１８は、操作者が操作を行うことなく印字操作を行い、複数画面の印字が必要な時は、表示部１４に表示されている画面の更新、及び印字部１６の改項を制御する（ステップＳ２０５）。ここで、図５及び図６は、制御の結果印字される結果の例を示している。図５は、１診断項目を全項目１ページで印字するという構成条件に基づく印字例を示し、図６は、４診断項目を選択、成長曲線を１ページで印字するという構成条件に基づく印字例を示している。ここで、図５および図６において、ＢＰＤ（biparietal diameter）は胎児大横径を意味し、ＡＸＴはＡＰＴＤ（antero-posterior trunk diameter）×ＴＴＤ（transverse trunk diameter）のことで、ＡＰＴＤは躯幹前後径を、ＴＴＤは躯幹横径を意味する。また、図６において、ＦＬ（femur length）は胎児大腿骨長を、ＥＦＷ（estimated fetal weight）は推定児体重を意味する。
【００２１】
次に、すべての成長曲線を印字終了したかを構成制御部１８で判定し（ステップＳ２０６）、印字未終了であれば（Ｎｏ）、印字終了項目を構成制御部１８に記録して（ステップＳ２０７）、ステップＳ２０３に戻る。ステップＳ２０６の判定で、全項目が印字終了していれば処理を終了する。
【００２２】
以上のように、本実施の形態の超音波診断装置によれば、一回の操作で複数の成長曲線計測グラフを作成し順次印字するための構成情報に基づいて出力手段を逐次制御する構成制御部１８を設けることにより、複数の成長曲線を一回の印字操作により印字することが出来る。
【００２３】
（第２の実施の形態）
図３は、本発明の第２の実施の形態に係る超音波診断装置の一構成例を示す機能ブロック図である。
【００２４】
図３において、本実施の形態は、第１の実施の形態の構成に加えて、あらかじめ構成情報を記録する構成入力部１９を設けた構成を有している。
【００２５】
次に、このように構成された超音波診断装置の動作について、図２及び図４を参照して説明する。図４は、構成入力部１９における処理手順を示すフローチャートである。
【００２６】
図４において、あらかじめ、操作者が入力部１５を操作し、診断に必要な成長曲線の選択、印字項目の構成情報を構成入力部１９に記録する（ステップＳ４０１）。
【００２７】
印字操作は、図２に示すステップＳ２０１から実行するが、ステップＳ２０２において、ステップＳ４０１で操作者によりあらかじめ記録されていた構成情報を構成入力部１９から呼び出す。その後は、ステップＳ２０３以降を実行する。
【００２８】
以上のように、本実施の形態の超音波診断装置によれば、構成情報をあらかじめ操作者が構成入力部１９に登録し、印字する際に、構成情報を構成入力部１９から呼び出すことにより、操作者が必要に応じて印字する診断項目を任意に構成することができる。
【００２９】
なお、複数の構成情報を構成入力部１９に記録し、操作者が診断情報を記録部１７に記録する時、構成情報を構成入力部１９から選択する構成にしても良い。この場合、操作者が、複数の構成情報の中から所望の構成情報を選択することにより、診断条件に応じ、印字に必要な項目を取捨選択することが出来る。
【００３０】
なお、上記実施の形態では、印字部１６を表示部１４と異なる情報で構成した例について説明したが、その他の表示部１４で表示された画像をビデオ信号としてビデオデッキやＤＶＤレコーダを例とする、ビデオ信号を記録媒体に保存する手段についても、同様に実施可能である。また、表示部１４で表示された画像をVido Copy Processorを例とするビデオ信号を撮り込み印字媒体に印字する手段についても、同様に実施可能である。
【産業上の利用可能性】
【００３１】
本発明にかかる超音波診断装置は、複数の成長曲線を一回の印字操作により印字することが出来るという利点を有し、胎児の成長曲線レポートを印字する機能等を有した産科用の超音波診断装置として有用である。
【図面の簡単な説明】
【００３２】
【図１】本発明の第１の実施の形態に係る超音波診断装置の一構成例を示す機能ブロック図
【図２】図１の超音波診断装置における処理手順を示すフローチャート
【図３】本発明の第２の実施の形態に係る超音波診断装置の一構成例を示す機能ブロック図
【図４】図３の構成入力部１９における処理手順を示すフローチャート
【図５】本発明の各実施の形態におけるある構成情報に基づく印字例を示す模式図
【図６】本発明の各実施の形態における他の構成情報に基づく印字例を示す模式図
【図７】従来の超音波診断装置の一構成例を示す機能ブロック図
【符号の説明】
【００３３】
１１  送受信部
１２  再生部
１３  出力部
１４  表示部
１５  入力部
１６  印字部
１７  記録部
１８  構成制御部
１９  構成入力部
【図１】
2005288029.tif 000003
【図２】
2005288029.tif 000004
【図３】
2005288029.tif 000005
【図４】
2005288029.tif 000006
【図５】
2005288029.tif 000007
【図６】
2005288029.tif 000008
【図７】
2005288029.tif 000009